【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
受信デバイスにおけるワイヤレス通信のための方法であって、
第１の信頼性ターゲットでデータを搬送する第１の無線ベアラのためにＰＤＣＰレイヤにおいて第１の複数のパケットデータコンバージェンスプロトコル（ＰＤＣＰ）サービスデータユニット（ＳＤＵ）を受信することと、
前記第１の信頼性ターゲットより低い第２の信頼性ターゲットでデータを搬送する第２の無線ベアラのために前記ＰＤＣＰレイヤにおいて第２の複数のＰＤＣＰ  ＳＤＵを受信することと、
それぞれの前記信頼性ターゲットに少なくとも部分的に基づいて前記第１および第２の無線ベアラのためのＰＤＣＰリオーダリングウインドウパラメータを構成することを含む、前記ＰＤＣＰレイヤにおいてリオーダリングプロシージャを管理することと、前記リオーダリングプロシージャは、前記第１の複数のＰＤＣＰ ＳＤＵ上でおよび前記第２の複数のＰＤＣＰ ＳＤＵ上で動作する、を備える方法。
【請求項２】
前記第１の無線ベアラは、第１の遅延ターゲットでデータを搬送し、前記第２の無線ベアラは、前記第１の遅延ターゲットより短い第２の遅延ターゲットでデータを搬送する、請求項１に記載の方法。
【請求項３】
前記リオーダリングプロシージャは、連続したＰＤＣＰシーケンスナンバー（ＳＮ）にしたがってＰＤＣＰ ＳＤＵを配列し、リオーダリングウインドウ外のＰＤＣＰ ＳＮを有するＰＤＣＰ ＳＤＵを廃棄する、リオーダリングおよび廃棄プロシージャを備える、請求項１に記載の方法。
【請求項４】
前記第１の無線ベアラは、シグナリング無線ベアラ（ＳＲＢ）であり、前記第２の無線ベアラは、データ無線ベアラ（ＤＲＢ）であり、または、前記第１の信頼性ターゲットは、肯定応答モード（ＡＭ）の無線ベアラ信頼性ターゲットに対応し、前記第２の信頼性ターゲットは、否定応答モード（ＵＭ）の無線ベアラ信頼性ターゲットに対応する、請求項１に記載の方法。
【請求項５】
前記リオーダリングプロシージャを管理することは、
前記第１の信頼性ターゲットまたは前記第１の遅延ターゲットに少なくとも部分的に基づいて前記第１の無線ベアラのための第１のＰＤＣＰリオーダリングウインドウパラメータを構成することと、
前記第２の信頼性ターゲットまたは前記第２の遅延ターゲットに少なくとも部分的に基づいて前記第２の無線ベアラのための第２のＰＤＣＰリオーダリングウインドウパラメータを構成することと、を備える、請求項２に記載の方法。
【請求項６】
前記第１のＰＤＣＰリオーダリングウインドウパラメータおよび前記第２のＰＤＣＰリオーダリングウインドウパラメータは、互いから独立して構成される、請求項５に記載の方法。
【請求項７】
前記リオーダリングプロシージャを管理することは、
前記第１の無線ベアラまたは前記第２の無線ベアラに関連付けされたＰＤＣＰリオーダリングウインドウ外で受信される１つまたは複数の被受信ＰＤＣＰ ＳＤＵを廃棄することをさらに備える、請求項５に記載の方法。
【請求項８】
前記第１のＰＤＣＰリオーダリングウインドウパラメータおよび前記第２のＰＤＣＰリオーダリングウインドウパラメータは、各々、リオーダリングの対象となるＰＤＣＰシーケンスナンバー（ＳＮ）の範囲に対応し、ここにおいて、前記第１のリオーダリングウインドウパラメータのＰＤＣＰ ＳＮの前記範囲は、前記第２のリオーダリングウインドウパラメータのＰＤＣＰ ＳＮの前記範囲より大きい、請求項５に記載の方法。
【請求項９】
前記リオーダリングプロシージャは、
前記第１の無線ベアラまたは前記第２の無線ベアラにそれぞれ関連付けされた最新の連続的なＰＤＣＰ ＳＤＵの受信の後に、前記第１の無線ベアラまたは前記第２の無線ベアラのためのエンプティバッファタイマーを開始することと、前記第１の無線ベアラまたは前記第２の無線ベアラはそれぞれ関連付けされたリオーダリングウインドウを有する、
前記エンプティバッファタイマーが終了していない場合、前記関連付けされたリオーダリングウインドウ外で受信される被受信ＰＤＣＰ ＳＤＵを廃棄することと、
前記被受信ＰＤＣＰ ＳＤＵが前記関連付けされたリオーダリングウインドウ外で受信され、前記エンプティバッファタイマーが終了した場合、前記関連付けされたリオーダリングウインドウをシフトすることと、を備え、
前記エンプティバッファタイマーは、それぞれの前記第１の無線ベアラまたは前記第２の無線ベアラの前記信頼性ターゲットまたは遅延ターゲットのうちの一方または両方に少なくとも部分的に基づいて設定される、請求項１に記載の方法。
【請求項１０】
前記第１の無線ベアラは、シグナリング無線ベアラ（ＳＲＢ）であり、ここにおいて、前記リオーダリングプロシージャを管理することは、
ＰＤＣＰ ＳＤＵが連続的な順序で受信されるかどうかに関係なく、および、ＰＤＣＰ ＳＤＵの受信間の経過時間に関係なく、被受信ＰＤＣＰ ＳＤＵが保持されるように、前記第１の無線ベアラのための第１のＰＤＣＰリオーダリングウインドウパラメータを構成することを備える、請求項１に記載の方法。
【請求項１１】
前記リオーダリングプロシージャは、
前記第１の無線ベアラに関連付けされた最新のＰＤＣＰ ＳＤＵの受信の後に前記第１の無線ベアラに関連付けされたリオーダリングタイマーを開始することと、
前記最新の被受信ＰＤＣＰ ＳＤＵに関連した次の連続的なＰＤＣＰ ＳＤＵの受信の前に前記リオーダリングタイマーの終了に応答して前記第１の無線ベアラの送信機でＰＤＣＰ状態報告をトリガすることと、を備える、請求項１０に記載の方法。
【請求項１２】
前記リオーダリングプロシージャは、
前記第１の無線ベアラに関連付けされた最新のＰＤＣＰ ＳＤＵの受信の後に前記第１の無線ベアラに関連付けされたリオーダリングタイマーを開始することと、
前記最新の被受信ＰＤＣＰ ＳＤＵに関連した次の連続的なＰＤＣＰ ＳＤＵの受信の前に前記リオーダリングタイマーの終了に応答して前記第１の無線ベアラのための無線リンク障害（ＲＬＦ）プロシージャをトリガすることと、を備える、請求項１０に記載の方法。
【請求項１３】
前記第１の無線ベアラまたは前記第２の無線ベアラのうちの一方または両方のためのＰＤＣＰ再確立プロシージャを実施することをさらに備え、ここにおいて、前記ＰＤＣＰ再確立プロシージャは、前記第１の無線ベアラのための前記第１の信頼性ターゲットまたは前記第１の遅延ターゲット、あるいは前記第２の無線ベアラのための前記第２の信頼性ターゲットまたは前記第２の遅延ターゲット、に少なくとも部分的に基づいて選択され、
無線ベアラごとに、前記ＰＤＣＰ再確立プロシージャを実施することは、
前記無線ベアラのためのそれぞれの前記遅延ターゲットまたはそれぞれの前記信頼性ターゲットのうちの一方または両方を識別することと、
それぞれの前記遅延ターゲットまたはそれぞれの前記信頼性ターゲットのうちの一方または両方に少なくとも部分的に基づいて前記受信デバイスにおいて受信されたＰＤＣＰ ＳＤＵを示す状態プロトコルデータユニット（ＰＤＵ）送信を構成することと、
前記状態ＰＤＵの前記構成することに応答して前記ＰＤＣＰ再確立プロシージャの前に確立されたハイパーフレームナンバー（ＨＦＮ）および連続的なＰＤＣＰシーケンスナンバー（ＳＮ）を保持することと、を備え、
ここにおいて、前記ＰＤＣＰレイヤにおいて前記リオーダリングプロシージャを管理することは、前記ＰＤＣＰ再確立プロシージャの開始の後にＰＤＣＰ ＳＤＵをリオーダリングするための再確立タイマーを構成することと、前記再確立タイマーの終了の後に前記ＰＤＣＰ再確立プロシージャの前記開始の前にＰＤＣＰ ＳＤＵをリオーダリングすることを中止することと、をさらに備え、
前記状態ＰＤＵ送信を構成することを決定することは、しきい値より大きい信頼性ターゲットでシグナリング無線ベアラ（ＳＲＢ）およびデータ無線ベアラ（ＤＲＢ）のための前記状態ＰＤＵ送信を構成することを備え、
前記再確立タイマーの持続時間は、前記無線ベアラのそれぞれの前記信頼性ターゲットまたはそれぞれの前記遅延ターゲットのうちの一方または両方に少なくとも部分的に基づいて決定される、請求項２に記載の方法。
【請求項１４】
受信デバイスにおけるワイヤレス通信のための装置であって、
第１の信頼性ターゲットでデータを搬送する第１の無線ベアラのためにＰＤＣＰレイヤにおいて第１の複数のパケットデータコンバージェンスプロトコル（ＰＤＣＰ）サービスデータユニット（ＳＤＵ）を受信するための手段と、
前記第１の信頼性ターゲットより低い第２の信頼性ターゲットでデータを搬送する第２の無線ベアラのために前記ＰＤＣＰレイヤにおいて第２の複数のＰＤＣＰ  ＳＤＵを受信するための手段と、
それぞれの前記信頼性ターゲットに少なくとも部分的に基づいて前記第１および第２の無線ベアラのためのＰＤＣＰリオーダリングウインドウパラメータを構成するための手段を含む、前記ＰＤＣＰレイヤにおいてリオーダリングプロシージャを管理するための手段と、前記リオーダリングプロシージャは、前記第１の複数のＰＤＣＰ ＳＤＵ上でおよび前記第２の複数のＰＤＣＰ ＳＤＵ上で動作する、を備える装置。
【請求項１５】
受信デバイスにおけるワイヤレス通信のためのコードを記憶する非一時的コンピュータ可読媒体であって、前記コードは、
第１の信頼性ターゲットでデータを搬送する第１の無線ベアラのためにＰＤＣＰレイヤにおいて第１の複数のパケットデータコンバージェンスプロトコル（ＰＤＣＰ）サービスデータユニット（ＳＤＵ）を受信することと、
前記第１の信頼性ターゲットより低い第２の信頼性ターゲットでデータを搬送する第２の無線ベアラのために前記ＰＤＣＰレイヤにおいて第２の複数のＰＤＣＰＳＤＵを受信することと、
それぞれの前記信頼性ターゲットに少なくとも部分的に基づいて前記第１および第２の無線ベアラのためのＰＤＣＰリオーダリングウインドウパラメータを構成することを含む、前記ＰＤＣＰレイヤにおいてリオーダリングプロシージャを管理することと、前記リオーダリングプロシージャは、前記第１の複数のＰＤＣＰ ＳＤＵ上でおよび前記第２の複数のＰＤＣＰ ＳＤＵ上で動作する、を実行可能である命令を備える、非一時的コンピュータ可読媒体。
【手続補正２】
【補正対象書類名】明細書
【補正対象項目名】０１２４
【補正方法】変更
【補正の内容】
【０１２４】
[0134]  本書での説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。従って、本開示は、本書に説明された例および設計に限定されるべきではなく、本書に開示された原理および新規の特徴と矛盾しない最も広い範囲が付与されるべきである。
以下に本願の出願当初の特許請求の範囲に記載された発明を付記する。
［Ｃ１］
ワイヤレス通信のための方法であって、
第１の信頼性ターゲットでデータを搬送する第１の無線ベアラのための受信機のＰＤＣＰレイヤにおいて第１の複数のパケットデータコンバージェンスプロトコル（ＰＤＣＰ）サービスデータユニット（ＳＤＵ）を受信することと、
前記第１の信頼性ターゲットより低い第２の信頼性ターゲットでデータを搬送する第２の無線ベアラのための前記受信機の前記ＰＤＣＰレイヤにおいて第２の複数のＰＤＣＰＳＤＵを受信することと、
前記第１の複数のＰＤＣＰ ＳＤＵ上でおよび前記第２の複数のＰＤＣＰ ＳＤＵ上で前記ＰＤＣＰレイヤにおいてリオーダリングプロシージャを管理することと、を備える方法。
［Ｃ２］
前記第１の無線ベアラは、第１の遅延ターゲットでデータを搬送し、前記第２の無線ベアラは、前記第１の遅延ターゲットより短い第２の遅延ターゲットでデータを搬送する、Ｃ１に記載の方法。
［Ｃ３］
前記リオーダリングプロシージャは、連続したＰＤＣＰシーケンスナンバー（ＳＮ）にしたがってＰＤＣＰ ＳＤＵを配列し、リオーダリングウインドウ外にＰＤＣＰ ＳＮを有するＰＤＣＰ ＳＤＵを廃棄する、リオーダリングおよび廃棄プロシージャを備える、Ｃ１に記載の方法。
［Ｃ４］
前記第１の無線ベアラは、シグナリング無線ベアラ（ＳＲＢ）であり、前記第２の無線ベアラは、データ無線ベアラ（ＤＲＢ）である、Ｃ１に記載の方法。
［Ｃ５］
前記第１の信頼性ターゲットは、肯定応答モード（ＡＭ）の無線ベアラ信頼性ターゲットに対応し、前記第２の信頼性ターゲットは、否定応答モード（ＵＭ）の無線ベアラ信頼性ターゲットに対応する、Ｃ１に記載の方法。
［Ｃ６］
前記リオーダリングプロシージャを管理することは、
前記第１の信頼性ターゲットまたは前記第１の遅延ターゲットに少なくとも部分的に基づいて前記第１の無線ベアラのための第１のＰＤＣＰリオーダリングウインドウパラメータを構成することと、
前記第２の信頼性ターゲットまたは前記第２の遅延ターゲットに少なくとも部分的に基づいて前記第２の無線ベアラのための第２のＰＤＣＰリオーダリングウインドウパラメータを構成することと、を備える、Ｃ２に記載の方法。
［Ｃ７］
前記第１のＰＤＣＰリオーダリングウインドウパラメータおよび前記第２のＰＤＣＰリオーダリングウインドウパラメータは、互いから独立して構成される、Ｃ６に記載の方法。
［Ｃ８］
前記リオーダリングプロシージャを管理することは、
前記第１の無線ベアラまたは前記第２の無線ベアラに関連付けされたＰＤＣＰリオーダリングウインドウ外で受信される１つまたは複数の被受信ＰＤＣＰ ＳＤＵを廃棄することをさらに備える、Ｃ６に記載の方法。
［Ｃ９］
前記第１のＰＤＣＰリオーダリングウインドウパラメータおよび前記第２のＰＤＣＰリオーダリングウインドウパラメータは、各々、リオーダリングの対象となるＰＤＣＰシーケンスナンバー（ＳＮ）の範囲に対応し、ここにおいて、前記第１のリオーダリングウインドウパラメータのＰＤＣＰ ＳＮの前記範囲は、前記第２のリオーダリングウインドウパラメータのＰＤＣＰ ＳＮの前記範囲より大きい、Ｃ６に記載の方法。
［Ｃ１０］
前記リオーダリングプロシージャは、
前記第１の無線ベアラまたは前記第２の無線ベアラにそれぞれ関連付けされた最新の連続的なＰＤＣＰ ＳＤＵの受信の後に、前記第１の無線ベアラまたは前記第２の無線ベアラのためのエンプティバッファタイマーを開始することと、前記第１の無線ベアラまたは前記第２の無線ベアラはそれぞれ関連付けされたリオーダリングウインドウを有する、
前記エンプティバッファタイマーが終了していない場合、前記関連付けされたリオーダリングウインドウ外で受信される被受信ＰＤＣＰ ＳＤＵを廃棄することと、
前記被受信ＰＤＣＰ ＳＤＵが前記関連付けされたリオーダリングウインドウ外で受信され、前記エンプティバッファタイマーが終了した場合、前記関連付けされたリオーダリングウインドウをシフトすることと、を備える、Ｃ１に記載の方法。
［Ｃ１１］
前記エンプティバッファタイマーは、前記第１の無線ベアラまたは前記第２の無線ベアラの前記信頼性ターゲットまたは遅延ターゲットのうちの一方または両方に少なくとも部分的に基づいて設定される、Ｃ１０に記載の方法。
［Ｃ１２］
前記第１の無線ベアラは、シグナリング無線ベアラ（ＳＲＢ）であり、ここにおいて、前記リオーダリングプロシージャを管理することは、
前記ＰＤＣＰ ＳＤＵが連続的な順序で受信されるかどうかに関係なく、および、ＰＤＣＰ ＳＤＵの受信の間の経過時間に関係なく、被受信ＰＤＣＰ ＳＤＵが保持されるように、前記第１の無線ベアラのための第１のＰＤＣＰリオーダリングウインドウパラメータを構成することを備える、Ｃ１に記載の方法。
［Ｃ１３］
前記リオーダリングプロシージャは、
前記第１の無線ベアラに関連付けされた最新のＰＤＣＰ ＳＤＵの受信の後に前記第１の無線ベアラに関連付けされたリオーダリングタイマーを開始することと、
前記最新の被受信ＰＤＣＰ ＳＤＵに関連した次の連続的なＰＤＣＰ ＳＤＵの受信の前に前記リオーダリングタイマーの終了に応答して前記第１の無線ベアラの送信機でＰＤＣＰ状態報告をトリガすることと、を備える、Ｃ１２に記載の方法。
［Ｃ１４］
前記リオーダリングプロシージャは、
前記第１の無線ベアラに関連付けされた最新のＰＤＣＰ ＳＤＵの受信の後に前記第１の無線ベアラに関連付けされたリオーダリングタイマーを開始することと、
前記最新の被受信ＰＤＣＰ ＳＤＵに関連した次の連続的なＰＤＣＰ ＳＤＵの受信の前に前記リオーダリングタイマーの終了に応答して前記第１の無線ベアラのための無線リンク障害（ＲＬＦ）プロシージャをトリガすることと、を備える、Ｃ１２に記載の方法。
［Ｃ１５］
前記ＲＬＦプロシージャをトリガすることは、
前記第１の複数のＰＤＣＰ ＳＤＵから１つまたは複数のＰＤＣＰ ＳＤＵが欠落していることを決定することと、
無線リソース制御（ＲＲＣ）レイヤに前記１つまたは複数のＰＤＣＰ ＳＤＵが欠落していることのインジケーションを提供することと、をさらに備える、Ｃ１４に記載の方法。
［Ｃ１６］
前記ＲＬＦプロシージャをトリガすることは、
前記第１の無線ベアラのための１つまたは複数の新しいＰＤＣＰ ＳＤＵが、前記リオーダリングタイマーが終了した後に受信されることを決定することと、
前記１つまたは複数の新しいＰＤＣＰ ＳＤＵが受信されることのインジケーションを無線リソース制御（ＲＲＣ）レイヤに提供することと、を備える、Ｃ１４に記載の方法。
［Ｃ１７］
前記第１の無線ベアラまたは前記第２の無線ベアラのうちの一方または両方のためのＰＤＣＰ再確立プロシージャを実施することをさらに備え、ここにおいて、前記ＰＤＣＰ再確立プロシージャは、前記第１の無線ベアラのための前記第１の信頼性ターゲットまたは前記第１の遅延ターゲット、あるいは前記第２の信頼性ターゲットまたは前記第２の遅延ターゲット第２の無線ベアラ、に少なくとも部分的に基づいて選択される、Ｃ２に記載の方法。
［Ｃ１８］
無線ベアラごとに、前記ＰＤＣＰ再確立プロシージャを実施することは、
前記無線ベアラのためのそれぞれの前記遅延ターゲットまたはそれぞれの前記信頼性ターゲットのうちの一方または両方を識別することと、
それぞれの前記遅延ターゲットまたはそれぞれの前記信頼性ターゲットのうちの一方または両方に少なくとも部分的に基づいて前記受信機において受信されたＰＤＣＰ ＳＤＵを示す状態プロトコルデータユニット（ＰＤＵ）送信を構成することと、
前記状態ＰＤＵの前記構成することに応答して前記ＰＤＣＰ再確立プロシージャの前に確立されたハイパーフレームナンバー（ＨＦＮ）および連続的なＰＤＣＰシーケンスナンバー（ＳＮ）を保持することと、を備え、
ここにおいて、前記ＰＤＣＰレイヤにおいて前記リオーダリングプロシージャを管理することは、前記ＰＤＣＰ再確立プロシージャの開始の後にＰＤＣＰ ＳＤＵをリオーダリングするための再確立タイマーを構成することと、前記再確立タイマーの終了の後に前記ＰＤＣＰ再確立プロシージャの前記開始の前からＰＤＣＰ ＳＤＵをリオーダリングすることを中止することと、をさらに備える、Ｃ１７に記載の方法。
［Ｃ１９］
前記状態ＰＤＵ送信を構成することを決定することは、しきい値より大きい信頼性ターゲットでシグナリング無線ベアラ（ＳＲＢ）およびデータ無線ベアラ（ＤＲＢ）のための前記状態ＰＤＵ送信を構成することを備える、Ｃ１８に記載の方法。
［Ｃ２０］
前記再確立タイマーの持続時間は、前記無線ベアラのそれぞれの前記信頼性ターゲットまたはそれぞれの前記遅延ターゲットのうちの一方または両方に少なくとも部分的に基づいて決定される、Ｃ１８に記載の方法。
［Ｃ２１］
ワイヤレス通信のための装置であって、
第１の信頼性ターゲットでデータを搬送する第１の無線ベアラのための受信機のＰＤＣＰレイヤにおいて第１の複数のパケットデータコンバージェンスプロトコル（ＰＤＣＰ）サービスデータユニット（ＳＤＵ）を受信するための手段と、
前記第１の信頼性ターゲットより低い第２の信頼性ターゲットでデータを搬送する第２の無線ベアラのための前記受信機の前記ＰＤＣＰレイヤにおいて第２の複数のＰＤＣＰＳＤＵを受信するための手段と、
前記第１の複数のＰＤＣＰ ＳＤＵ上でおよび前記第２の複数のＰＤＣＰ ＳＤＵ上で前記ＰＤＣＰレイヤにおいてリオーダリングプロシージャを管理するための手段と、を備える装置。
［Ｃ２２］
前記第１の無線ベアラは、第１の遅延ターゲットでデータを搬送し、前記第２の無線ベアラは、前記第１の遅延ターゲットより短い第２の遅延ターゲットでデータを搬送する、Ｃ２１に記載の装置。
［Ｃ２３］
前記リオーダリングプロシージャは、連続したＰＤＣＰシーケンスナンバー（ＳＮ）にしたがってＰＤＣＰ ＳＤＵを配列し、リオーダリングウインドウ外にＰＤＣＰ ＳＮを有するＰＤＣＰ ＳＤＵを廃棄する、リオーダリングおよび廃棄プロシージャを備える、Ｃ２１に記載の装置。
［Ｃ２４］
前記第１の信頼性ターゲットまたは前記第１の遅延ターゲットに少なくとも部分的に基づいて前記第１の無線ベアラのための第１のＰＤＣＰリオーダリングウインドウパラメータを構成するための手段と、
前記第２の信頼性ターゲットまたは前記第２の遅延ターゲットに少なくとも部分的に基づいて前記第２の無線ベアラのための第２のＰＤＣＰリオーダリングウインドウパラメータを構成するための手段と、をさらに備える、Ｃ２２に記載の装置。
［Ｃ２５］
前記第１の無線ベアラまたは第２の無線ベアラにそれぞれ関連付けされた最新の連続的なＰＤＣＰ ＳＤＵの受信の後に、前記第１の無線ベアラまたは前記第２の無線ベアラのためのエンプティバッファタイマーを開始するための手段と、前記第１の無線ベアラまたは第２の無線ベアラはそれぞれ関連付けされたリオーダリングウインドウを有する、
前記エンプティバッファタイマーが終了していない場合、前記関連付けされたリオーダリングウインドウ外で受信される被受信ＰＤＣＰ ＳＤＵを廃棄するための手段と、
前記被受信ＰＤＣＰ ＳＤＵが前記関連付けされたリオーダリングウインドウ外で受信され、前記エンプティバッファタイマーが終了した場合、前記関連付けされたリオーダリングウインドウをシフトするための手段と、をさらに備える、Ｃ２１に記載の装置。
［Ｃ２６］
前記第１の無線ベアラは、シグナリング無線ベアラ（ＳＲＢ）であり、前記装置は、
前記ＰＤＣＰ ＳＤＵが連続的な順序で受信されるかどうかに関係なく、および、ＰＤＣＰ ＳＤＵの受信の間の経過時間に関係なく、被受信ＰＤＣＰ ＳＤＵが保持されるように、前記第１の無線ベアラのための第１のＰＤＣＰリオーダリングウインドウパラメータを構成するための手段をさらに備える、Ｃ２１に記載の装置。
［Ｃ２７］
前記第１の無線ベアラまたは前記第２の無線ベアラのうちの一方または両方のためのＰＤＣＰ再確立プロシージャを実施するための手段をさらに備え、ここにおいて、前記ＰＤＣＰ再確立プロシージャは、前記第１の無線ベアラのための前記第１の信頼性ターゲットまたは前記第１の遅延ターゲット、あるいは第２の無線ベアラのための前記第２の信頼性ターゲットまたは前記第２の遅延ターゲット、に少なくとも部分的に基づいて選択される、Ｃ２２に記載の装置。
［Ｃ２８］
無線ベアラごとに、前記無線ベアラのためのそれぞれの前記遅延ターゲットまたはそれぞれの前記信頼性ターゲットのうちの一方または両方を識別するための手段と、
無線ベアラごとに、それぞれの前記遅延ターゲットまたはそれぞれの前記信頼性ターゲットのうちの一方または両方に少なくとも部分的に基づいて前記受信機において受信されたＰＤＣＰ ＳＤＵを示す状態プロトコルデータユニット（ＰＤＵ）送信を構成するための手段と、
無線ベアラごとに、前記状態ＰＤＵの前記構成することに応答して前記ＰＤＣＰ再確立プロシージャの前に確立されたハイパーフレームナンバー（ＨＦＮ）および連続的なＰＤＣＰシーケンスナンバー（ＳＮ）を保持するための手段と、
無線ベアラごとに、前記ＰＤＣＰ再確立プロシージャの開始の後にＰＤＣＰ ＳＤＵをリオーダリングするための再確立タイマーを構成し、前記再確立タイマーの終了の後に前記ＰＤＣＰ再確立プロシージャの前記開始の前からＰＤＣＰ ＳＤＵをリオーダリングすることを中止するための手段と、をさらに備える、Ｃ２７に記載の装置。
［Ｃ２９］
ワイヤレス通信のための装置であって、
プロセッサと、
前記プロセッサと電子通信状態にあるメモリと、
前記メモリに記憶されており、
第１の信頼性ターゲットでデータを伝達する第１の無線ベアラのための受信機のＰＤＣＰレイヤにおいて第１の複数のパケットデータコンバージェンスプロトコル（ＰＤＣＰ）サービスデータユニット（ＳＤＵ）を受信することと、
前記第１の信頼性ターゲットより低い第２の信頼性ターゲットでデータを搬送する第２の無線ベアラのための前記受信機の前記ＰＤＣＰレイヤにおいて第２の複数のＰＤＣＰＳＤＵを受信することと、
前記第１の複数のＰＤＣＰ ＳＤＵ上でおよび前記第２の複数のＰＤＣＰ ＳＤＵ上で前記ＰＤＣＰレイヤにおいてリオーダリングプロシージャを管理することと、を前記プロセッサによって前記装置に行わせることを実行可能である命令と、を備える装置。
［Ｃ３０］
ワイヤレス通信のためのコードを記憶する非一時的コンピュータ可読媒体であって、前記コードは、
第１の信頼性ターゲットでデータを搬送する第１の無線ベアラのための受信機のＰＤＣＰレイヤにおいて第１の複数のパケットデータコンバージェンスプロトコル（ＰＤＣＰ）サービスデータユニット（ＳＤＵ）を受信することと、
前記第１の信頼性ターゲットより低い第２の信頼性ターゲットでデータを搬送する第２の無線ベアラのための前記受信機の前記ＰＤＣＰレイヤにおいて第２の複数のＰＤＣＰＳＤＵを受信することと、
前記第１の複数のＰＤＣＰ ＳＤＵ上でおよび前記第２の複数のＰＤＣＰ ＳＤＵ上で前記ＰＤＣＰレイヤにおいてリオーダリングプロシージャを管理することと、を実行可能である命令を備える、非一時的コンピュータ可読媒体。